(57)【要約】【課題】トリガポイントを容易に把握することができる撮像装置およびそれを用いた撮像システムを提供することを目的とする。【解決手段】出力ポート９ｃ、９ｄが、ＣＣＤ型固体撮像素子（ＣＣＤ）の駆動に関するトリガポイントを時系列的に出力して、オシロスコープ２０は、出力ポート９ｃ、９ｄから時系列的に出力されたトリガポイントを受信して、そのトリガポイントを出力するので、オシロスコープ２０を介して、トリガポイントがどの時点にあったのかを時系列的に閲覧することが可能になり、トリガポイントを容易に把握することができる。【選択図】図１
2009147781.tif 000002
【特許請求の範囲】
【請求項１】
入射光を電荷に変換することでその光の強度に応じた信号電荷を発生させる光電変換手段と、その光電変換手段から発生した信号電荷を蓄積して記憶する複数の電荷蓄積手段とを備えることで、前記光電変換手段によって信号電荷を発生させて、その信号電荷を前記電荷蓄積手段からそれに隣接する電荷蓄積手段に順次に蓄積しながら転送して撮像を行うように構成された撮像素子を備えた撮像装置であって、その撮像素子の駆動に関するトリガポイントを時系列的に出力する出力手段を備えることを特徴とする撮像装置。
【請求項２】
請求項１に記載の撮像装置において、前記出力手段は、前記トリガポイントとともに、前記撮像素子の駆動に関する駆動情報を時系列的に出力することを特徴とする撮像装置。
【請求項３】
入射光を電荷に変換することでその光の強度に応じた信号電荷を発生させる光電変換手段と、その光電変換手段から発生した信号電荷を蓄積して記憶する複数の電荷蓄積手段とを備えることで、前記光電変換手段によって信号電荷を発生させて、その信号電荷を前記電荷蓄積手段からそれに隣接する電荷蓄積手段に順次に蓄積しながら転送して撮像を行うように構成された撮像素子を備えた撮像装置を用いた撮像システムであって、前記撮像装置は、前記撮像素子の駆動に関するトリガポイントを時系列的に出力する出力手段を備えるとともに、前記撮像システムは、前記出力手段から時系列的に出力された前記トリガポイントを受信して、そのトリガポイントを出力する出力装置を備えることを特徴とする撮像システム。
【請求項４】
請求項３に記載の撮像システムにおいて、前記出力手段は、前記トリガポイントとともに、前記撮像素子の駆動に関する駆動情報を時系列的に出力するとともに、前記出力装置は、出力手段から時系列的に出力されたトリガポイントおよび駆動情報を受信して、それらトリガポイントおよび駆動情報を出力することを特徴とする撮像システム。
【請求項５】
請求項３または請求項４に記載の撮像システムにおいて、前記出力装置は、前記トリガポイントを時系列的に出力表示するオシロスコープあるいはパーソナルコンピュータであることを特徴とする撮像システム。
【発明の詳細な説明】
【技術分野】
【０００１】
この発明は、入射光を電荷に変換することでその光の強度に応じた信号電荷を発生させて撮像を行う撮像素子を備えた撮像装置およびそれを用いた撮像システムに関する。
【背景技術】
【０００２】
この種の撮像素子として、例えばＣＣＤ(Charge Coupled Device)型固体撮像素子がある。近年、かかるＣＣＤ型固体撮像素子（以下、『ＣＣＤ』と略記する）では、高速撮像のような短い撮影周期（例えば１００μｓ以下）で行うことが可能に構成されている。風船の爆発や鉄球の衝突や微生物への刺激などの撮影対象の変化を示す所定の事象が発生した瞬間では、その事象の変化が急激であるので、かかる高速撮像を用いることで急激な事象の変化を詳細に撮像することが可能である。
【０００３】
しかし、コマ（フレーム）数が限られているので、事象の発生を基点にして見たいところの撮影周期を短く制御する（例えば、特許文献１参照）。なお、事象の発生を基点とする場合には、トリガが用いられる。トリガは、ＣＣＤの駆動の開始の他に、ＣＣＤの駆動の停止にも用いられる。
【０００４】
ところで、高速撮像でのＣＣＤの駆動は大きく分けると、『内部撮影』と呼ばれる駆動と、『外部撮影』と呼ばれる駆動とがある。上述した事象の発生を基点としたトリガ、あるいは撮像ボタンが押下されて発生したトリガに同期して、ＣＣＤの駆動を開始する。上述した『内部撮影』では、ＣＣＤの駆動の開始から所定枚数（例えば１００フレーム）分のデータを撮像した後に、ＣＣＤの駆動を停止させる制御が行われる。逆に、上述した『外部撮影』では、ＣＣＤの駆動の開始から撮像停止に関するトリガを受信すると、それに同期してＣＣＤの駆動を停止させる制御が行われる。
【特許文献１】特開２００４−１５６１２公報（第１−１６頁、図１−１０）
【発明の開示】
【発明が解決しようとする課題】
【０００５】
しかしながら、実際には外部からのトリガは非同期であるので、次のような問題がある。
『外部撮影』においてトリガに基づいてＣＣＤの駆動を停止させる場合を例に採って説明する。図８に示すように、ＣＣＤの読み出しゲート（図８では「ＰＧ」で表記）を含んだ転送電極などの駆動に関するパラメータが（マスター）クロックに同期して動作する。整数倍（図８では８倍）のクロックで撮影周期が同期するようにする。
【０００６】
もし、図８（ａ）に示すように、撮影周期の開始時点（フレームカウント位置）の半クロック分直前で撮像停止に関するトリガを受信した場合には、実際にはその受信した時点で同期せずに、受信した時点から最初の撮影周期の開始時点（フレームカウント位置）に同期してＣＣＤの駆動を停止させる。一方、図８（ｂ）に示すように、撮影周期の開始時点（フレームカウント位置）の半クロック分直後で撮像停止に関するトリガを受信した場合には、同様に、実際にはその受信した時点で同期せずに、受信した時点から最初の撮影周期の開始時点（フレームカウント位置）に同期してＣＣＤの駆動を停止させる。なお、ＣＣＤの駆動の停止時点は、フレーム撮影終了のポイントでもある。
【０００７】
図８（ａ）と図８（ｂ）とでは、トリガは１クロック分のずれしかないのにも関わらず、トリガが撮影周期の開始時点（フレームカウント位置）の前後でずれて受信された場合には、フレーム撮影終了のポイントがすれてしまう。図８（ａ）では、「Ａ」フレームの途中で、かつ「Ａ」フレームから１フレーム後の「Ｂ」フレーム目の半クロック分直前でトリガを受信したとすると、受信した時点から最初の撮影周期の開始時点（フレームカウント位置）が「Ｂ」フレーム目であるので、「Ｂ」フレーム目でＣＣＤの駆動が停止する。図８（ｂ）では、「Ｂ」フレーム目の半クロック分直後でトリガを受信したとすると、受信した時点から最初の撮影周期の開始時点（フレームカウント位置）が「Ｂ」フレームから１フレーム後の「Ｃ」フレーム目であるので、「Ｃ」フレーム目でＣＣＤの駆動が停止する。
【０００８】
特に、撮影速度が１．０×１０６フレーム／秒（１，０００，０００フレーム／秒）の高速撮像のように撮影周期が１μｓの場合には、トリガが少しずれるだけでフレーム撮影終了のポイントがすれてしまう。したがって、トリガが発生する時間と撮像画像との関連に重要な意味がある場合には、撮像装置を操作する操作者にとってはトリガポイントを知る必要があるにも関わらず、そのトリガポイントを操作者が把握することができない。
【０００９】
この発明は、このような事情に鑑みてなされたものであって、トリガポイントを容易に把握することができる撮像装置およびそれを用いた撮像システムを提供することを目的とする。
【課題を解決するための手段】
【００１０】
この発明は、このような目的を達成するために、次のような構成をとる。
すなわち、請求項１に記載の発明は、入射光を電荷に変換することでその光の強度に応じた信号電荷を発生させる光電変換手段と、その光電変換手段から発生した信号電荷を蓄積して記憶する複数の電荷蓄積手段とを備えることで、前記光電変換手段によって信号電荷を発生させて、その信号電荷を前記電荷蓄積手段からそれに隣接する電荷蓄積手段に順次に蓄積しながら転送して撮像を行うように構成された撮像素子を備えた撮像装置であって、その撮像素子の駆動に関するトリガポイントを時系列的に出力する出力手段を備えることを特徴とするものである。
【００１１】
［作用・効果］請求項１に記載の発明によれば、複数の電荷蓄積手段を備えた撮像素子で撮像を行う場合には、短い撮影周期で撮像を行うことが可能であるが、撮像素子の駆動に関するトリガポイントがずれやすく、そのトリガポイントを把握することができない。そこで、出力手段が、撮像素子の駆動に関するトリガポイントを時系列的に出力することで、トリガポイントがどの時点にあったのかを時系列的に閲覧することが可能になり、トリガポイントを容易に把握することができる。
【００１２】
また、請求項３に記載の発明は、入射光を電荷に変換することでその光の強度に応じた信号電荷を発生させる光電変換手段と、その光電変換手段から発生した信号電荷を蓄積して記憶する複数の電荷蓄積手段とを備えることで、前記光電変換手段によって信号電荷を発生させて、その信号電荷を前記電荷蓄積手段からそれに隣接する電荷蓄積手段に順次に蓄積しながら転送して撮像を行うように構成された撮像素子を備えた撮像装置を用いた撮像システムであって、前記撮像装置は、前記撮像素子の駆動に関するトリガポイントを時系列的に出力する出力手段を備えるとともに、前記撮像システムは、前記出力手段から時系列的に出力された前記トリガポイントを受信して、そのトリガポイントを出力する出力装置を備えることを特徴とするものである。
【００１３】
［作用・効果］請求項３に記載の発明によれば、出力手段が、撮像素子の駆動に関するトリガポイントを時系列的に出力して、出力装置は、上述した出力手段から時系列的に出力されたトリガポイントを受信して、そのトリガポイントを出力するので、出力装置を介して、トリガポイントがどの時点にあったのかを時系列的に閲覧することが可能になり、トリガポイントを容易に把握することができる。
【００１４】
上述したこれらの発明において、上述した出力手段は、トリガポイントとともに、撮像素子の駆動に関する駆動情報を時系列的に出力する（請求項２に記載の発明）とともに、上述した出力装置は、出力手段から時系列的に出力されたトリガポイントおよび駆動情報を受信して、それらトリガポイントおよび駆動情報を出力する（請求項４に記載の発明）のが好ましい。トリガポイントとともに駆動情報を時系列的に出力しているので、トリガポイントとともに駆動情報を容易に把握することができ、より詳しい撮像素子の駆動状況を把握することができる。
【００１５】
また、この発明に係る撮像システムにおいて、出力装置は、トリガポイントを時系列的に出力表示するオシロスコープあるいはパーソナルコンピュータである（請求項５に記載の発明）。すなわちオシロスコープあるいはパーソナルコンピュータは、信号等を時系列的に出力表示することが容易であるので、出力装置として構成することが可能である。したがって、撮像システムとしては、撮像装置とオシロスコープあるいはパーソナルコンピュータとで構築することができる。
【発明の効果】
【００１６】
この発明に係る撮像装置およびそれを用いた撮像システムによれば、出力手段が、撮像素子の駆動に関するトリガポイントを時系列的に出力することで、トリガポイントがどの時点にあったのかを時系列的に閲覧することが可能になり、トリガポイントを容易に把握することができる。
【実施例】
【００１７】
以下、図面を参照してこの発明の実施例を説明する。
図１は、実施例に係るＣＣＤ型固体撮像素子（ＣＣＤ）を用いた撮像装置、および撮像システムの概略を示すブロック図であり、図２は、ＣＣＤの構成を示すブロック図である。
【００１８】
実施例に係る撮像装置は、被写体の光学像を取り込み、取り込まれた光学像を信号電荷に変換するとともに電気信号に変換して被写体を撮像するように構成されている。すなわち、撮像装置ＡＰは、図１に示すように、固体撮像素子（ＣＣＤ）１を備えるとともに、レンズ２と相関二重サンプリング部３とＡＤコンバータ４と画像処理演算部５とモニタ６と操作部７と制御部８とを備えている。さらに、撮像装置ＡＰは、電源部９ａとタイミングジェネレータ９ｂと出力ポート９ｃ、９ｄとを備えている。この撮像装置ＡＰは、撮影速度が１．０×１０６フレーム／秒（１，０００，０００フレーム／秒）の高速撮像として用いられる。固体撮像素子（ＣＣＤ）１は、この発明における撮像素子に相当し、出力ポート９ｃ、９ｄは、この発明における出力手段に相当する。
【００１９】
レンズ２は、被写体の光学像を取り込む。相関二重サンプリング部３は、ＣＣＤ１からの信号電荷を低雑音に増幅して電気信号に変換して取り出す。ＡＤコンバータ４は、その電気信号をディジタル信号に変換する。画像処理演算部５は、ＡＤコンバータ４でディジタル化された電気信号に基づいて被写体の２次元画像を作成するために各種の演算処理を行う。モニタ６は、その２次元画像を画面に出力する。操作部７は、撮像の実行に必要な種々の操作を行う。制御部８は、操作部７により設定された撮影条件などの操作にしたがって装置全体を統括制御する。
【００２０】
電源部９ａは、後述する読み出しゲート１４（図２を参照）や、ＣＣＤ１内の信号電荷を転送する転送電極などに電圧を印加する。タイミングジェネレータ９ｂは、電圧の印加のタイミングや撮像のタイミングやクロックなどを生成する。このように、タイミングジェネレータ９ｂがタイミングやクロックなどを生成して、電源部９ａが転送電極などに電圧を印加することで、電源部９ａおよびタイミングジェネレータ９ｂはＣＣＤ１を駆動する。特に、本実施例では、後述する図３の表示態様に示すように、電源部９ａから印加された転送電極などの印加電圧に基づく情報を出力ポート９ｃに出力して送り込む。また、図３の表示態様に示すように、タイミングジェネレータ９ｂで生成された電圧の印加のタイミングや撮像のタイミングやクロックの他に、制御部８およびタイミングジェネレータ９ｂを介して送り込まれたＣＣＤ１の駆動に関するトリガポイントを出力ポート９ｄに出力して送り込む。
【００２１】
次に、ＣＣＤ１は、図２に示すように、入射光（被写体の光学像）を電荷に変換することでその光の強度に応じた信号電荷を発生させるフォトダイオード１１と、そのフォトダイオード１１から発生した信号電荷を蓄積して記憶する複数の蓄積用ＣＣＤ１２と、これら蓄積用ＣＣＤ１２内の信号電荷を図２に示す垂直方向に転送する垂直転送用ＣＣＤ１３とを備えている。フォトダイオード１１は、この発明における光電変換手段に相当し、蓄積用ＣＣＤ１２は、この発明における電荷蓄積手段に相当する。
【００２２】
各フォトダイオード１１の傍らには読み出しゲート１４をそれぞれ配設しており、このフォトダイオード１１からそれに隣接した蓄積用ＣＣＤ１２へ各読み出しゲート１４は信号電荷を読み出す。
【００２３】
各蓄積用ＣＣＤ１２についてはそれぞれをライン状に接続して構成しており、ライン状の蓄積用ＣＣＤ１２を複数本分配設している。フォトダイオード１１から発生した信号電荷を、隣接する蓄積用ＣＣＤ１２に順次に転送しながら各蓄積用ＣＣＤ１２に蓄積する。そして、蓄積用ＣＣＤ１２から順次に転送された信号電荷を垂直転送用ＣＣＤ１３に合流させる。垂直転送用ＣＣＤ１３から転送されたこの信号電荷を水平転送用ＣＣＤ１５に転送する。
【００２４】
フォトダイオード１１を２次元状に配置しており、水平および垂直方向に平行して各フォトダイオード１１を並べて配設する関係上、ライン状の蓄積用ＣＣＤ１２は斜め方向に延びている。本実施例に係るＣＣＤ１は、いわゆる『画素周辺記録型撮像素子』と呼ばれているものである。なお、ＣＣＤ１の全体構成については従来と同じである。
【００２５】
なお、このように複数の蓄積用ＣＣＤ１２を備えることで、蓄積用ＣＣＤ１２からそれに隣接する蓄積用ＣＣＤ１２に信号電荷を順次に蓄積しながら転送して撮像を行う。したがって、撮影速度が１．０×１０６フレーム／秒（１，０００，０００フレーム／秒）の高速撮像のように撮影周期が１μｓと短い場合であっても、短い撮影周期で撮像を行うことができる。
【００２６】
撮像システムは、上述した撮像装置ＡＰの他に、オシロスコープ２０と、それと撮像装置ＡＰの出力ポート９ｃ、９ｄとを電気的に接続するケーブル２１とを備えている。出力ポート９ｃは、電源部９ａから印加された転送電極の印加電圧に基づいて印加電圧値を出力して、出力ポート９ｄは、タイミングジェネレータ９ｂで生成された電圧の印加のタイミングや撮像のタイミングやクロックに基づいて時間のカウント値を出力して、制御部８およびタイミングジェネレータ９ｂを介して送り込まれたＣＣＤ１の駆動に関するトリガポイントの時間のカウント値を出力する。
【００２７】
このように、出力ポート９ｃは印加電圧値を出力して、出力ポート９ｄはタイミングやトリガポイントの時間のカウント値を出力することで、出力ポート９ｃ、９ｄは、トリガポイントとともに、ＣＣＤ１の駆動に関する駆動情報として電圧の印加のタイミングや撮像のタイミングやクロックを時系列的に出力して、ケーブル２１を介して、オスロスコープ２０に送り込む。オスロスコープ２０は、出力ポート９ｃ、９ｄから時系列的に出力されたトリガポイントおよび駆動情報（電圧の印加のタイミングや撮像のタイミングやクロック）を受信して、それらトリガポイントおよび駆動情報を出力表示する。電圧の印加のタイミングや撮像のタイミングやクロックは、この発明における撮像素子に関する駆動情報に相当し、オシロスコープ２０は、この発明における出力装置に相当する。
【００２８】
続いて、オシロスコープに時系列的に出力表示する具体的なトリガポイントおよび駆動情報の表示態様およびトリガポイントの入力位置について、図３、図４を参照して説明する。図３は、本実施例に係るオシロスコープに時系列的に出力表示するトリガポイントおよび駆動情報の表示態様の一例であり、図４は、トリガポイントの時間的な入力位置の取得の説明に供する模式図である。本実施例では、撮影周期Ｔ（図４を参照）を１．０μｓ／フレーム（すなわち撮影速度が１．０×１０６フレーム／秒）として、撮像停止に関するトリガを撮像装置ＡＰが受信すると、撮影周期ＴにおけるＣＣＤ１の駆動を停止させる撮像を例に採って説明する。したがって、本実施例では、ＣＣＤ１の駆動に関するトリガポイントは、撮像停止に関するトリガポイントとなる。
【００２９】
オシロスコープ２０は、トリガポイントおよび駆動情報を時系列的に出力表示する。本実施例では、図３に示すように、撮像停止に関するトリガポイントＴＰを時系列的に出力表示するとともに、（マスター）クロックやＣＣＤ１の読み出しゲート１４への印加電圧のタイミングを時系列的に出力表示する。オシロスコープ２０の縦方向の表示は電圧値に相当し、印加電圧値あるいはそれに比例した値を縦方向に出力表示させればよい。読み出しゲート１４への印加電圧のタイミングや撮影周期Ｔは、図８でも述べたようにクロックに同期して動作する。
【００３０】
撮像停止に関するトリガを撮像装置ＡＰが受信すると、受信した時点から最初の撮影周期Ｔの開始時点（フレームカウント位置）に同期してＣＣＤ１の駆動を停止させる。ＣＣＤ１の駆動の停止時点は、図８でも述べたようにフレーム撮影終了のポイントでもある。図３では、「Ｘ」フレームの途中でトリガを受信したとすると、受信した時点から最初の撮影周期の開始時点（フレームカウント位置）が「Ｘ」フレームから１フレーム後の「Ｘ＋１」フレーム目であって、「Ｘ＋１」フレーム目でＣＣＤ１の駆動が停止する。したがって、「Ｘ＋１」フレーム目がフレーム撮影終了のポイントでもある。
【００３１】
次に、図３の表示態様を実現させるためには、電圧の印加のタイミングや撮像のタイミングやクロックに基づいて時間のカウント値を出力ポート９ｄは出力する。具体的には、撮像停止に関するトリガを受信すると、図４に示すように、その受信タイミング（すなわちトリガポイントＴＰの時間的な入力位置）からフレーム撮影終了のポイント（すなわちＣＣＤ１の駆動の停止時点）までの時間をカウントして、そのカウント値（経過時間）ｔを取得すればフレーム撮影終了のポイントから逆算して撮像停止に関するトリガポイントの入力位置が正確にわかる。なお、クロックや撮影周期Ｔは固定されているので、クロック周波数や撮影周期Ｔの値を時系列的に出力表示すればよい。なお、ＣＣＤ１に関する駆動情報として、“「Ｘ」フレーム”、“「Ｘ＋１」フレーム”というように、フレーム数をオシロスコープ２０は出力表示してもよい。
【００３２】
上述した撮像装置ＡＰおよびそれを用いた撮像システムによれば、複数の蓄積用ＣＣＤ１２を備えたＣＣＤ１で撮像を行う場合には、短い撮影周期で撮像を行うことが可能であるが、ＣＣＤ１の駆動に関するトリガポイント（本実施例では撮像停止に関するトリガポイントＴＰ）がずれやすく、そのトリガポイントを把握することができない。そこで、出力ポート９ｃ、９ｄが、ＣＣＤ１の駆動に関するトリガポイントを時系列的に出力する。
【００３３】
本実施例では、出力ポート９ｃ、９ｄが、ＣＣＤ１の駆動に関するトリガポイントを時系列的に出力して、オシロスコープ２０は、出力ポート９ｃ、９ｄから時系列的に出力されたトリガポイントを受信して、そのトリガポイントを出力するので、オシロスコープ２０を介して、トリガポイントがどの時点にあったのかを時系列的に閲覧することが可能になり、トリガポイントを容易に把握することができる。
【００３４】
本実施例では、出力ポート９ｃ、９ｄは、トリガポイントとともに、ＣＣＤ１の駆動に関する駆動情報（電圧の印加のタイミングや撮像のタイミングやクロック）を時系列的に出力するとともに、オシロスコープ２０は、出力ポート９ｃ、９ｄから時系列的に出力されたトリガポイントおよび駆動情報を受信して、それらトリガポイントおよび駆動情報を出力する。トリガポイントとともに駆動情報を時系列的に出力しているので、トリガポイントとともに駆動情報を容易に把握することができ、より詳しいＣＣＤ１の駆動状況を把握することができる。
【００３５】
本実施例では、この発明における出力装置としてオシロスコープ２０を用いており、オシロスコープ２０は、クロックなどの信号等を時系列的に出力表示することが容易であるので、出力装置として構成することが可能である。したがって、撮像システムとしては、本実施例のように、撮像装置ＡＰとオシロスコープ２０とで構築することができる。
【００３６】
この発明は、上記実施形態に限られることはなく、下記のように変形実施することができる。
【００３７】
（１）上述した実施例では、撮影速度が１００，０００フレーム／秒以上の高速撮像に適しているが、撮影速度が１００，０００フレーム／秒未満の通常の撮像に適用してもよい。
【００３８】
（２）上述した実施例では、光電変換手段としてフォトダイオードを例に採って説明したが、フォトゲートを替わりに用いてもよい。
【００３９】
（３）上述した実施例では、斜行ＣＣＤによる『画素周辺記録型撮像素子』を例に採って説明したが、ライン状の蓄積用ＣＣＤを垂直方向に延在するように構成した撮像素子、またはマトリクス状の蓄積用ＣＣＤで構成した蓄積素子にもこの発明は適用することができる。
【００４０】
（４）上述した実施例では、この発明における出力装置としてオシロスコープ２０を例に採って説明したが、図５に示すように、パーソナルコンピュータ３０を用いてもよい。パーソナルコンピュータ３０の場合には、中央演算処理装置（ＣＰＵ）を備えているので、トリガポイントおよび駆動情報を用いて演算処理を行うこともできる。また、撮像装置ＡＰで撮像された画像も、トリガポイントおよび駆動情報とともに出力表示してもよい。このとき、パーソナルコンピュータ３０が画像に対して輝度補正などを行ってもよい。また、図６に示すように、各フレームＦごとの画像Ｐをフレームに対応させて併記するようにパーソナルコンピュータ３０は出力表示してもよいし、図７に示すように、パーソナルコンピュータ３０のポインティングデバイス（例えばマウスやキーボードやタッチパネルなど）でフレームＦをクリックすると、クリックされたフレームＦに対応する画像Ｐを別画面で拡大して出力表示するようにしてもよい。このように、パーソナルコンピュータ３０でも、信号等を時系列的に出力表示することが容易であるので、出力装置として構成することが可能である。したがって、撮像システムとしては、撮像装置ＡＰとパーソナルコンピュータ３０とで構築することができる。もちろん、オシロスコープ２０およびパーソナルコンピュータ３０の両方を用いてもよい。
【００４１】
（５）上述した実施例では、撮像素子の駆動に関するトリガポイントとして、撮像停止に関するトリガポイントを例に採って説明したが、トリガポイントはこれに限定されない。例えば、事象の発生を基点としたトリガ、あるいは撮像ボタンが押下されて発生したトリガに同期して、ＣＣＤの駆動を開始する場合には、撮像開始に関するトリガポイントを出力すればよい。
【００４２】
（６）上述した実施例では、この発明における出力装置としてオシロスコープ２０を例に採って説明したが、出力の形態は必ずしも出力表示に限定されない。例えばプリンタ等に出力印刷してもよい。
【００４３】
（７）上述した実施例では、出力装置（実施例ではオシロスコープ）を備えて撮像システムを構築したが、必ずしも出力装置は必要でない。出力ポートを備えた撮像装置を単独で使用し、後で出力装置に取り付けて出力装置に出力させてもよいし、出力ポートの出力結果を撮像装置内に記憶媒体に記憶させて、その記憶媒体を出力装置に挿入して出力させてもよい。また、出力ポートを備えた撮像装置を単独で使用し、出力ポートの出力結果を通信手段（無線ＬＡＮやインターネットも含む）で外部にある出力装置に転送するようにしてもよい。
【図面の簡単な説明】
【００４４】
【図１】実施例に係るＣＣＤ型固体撮像素子（ＣＣＤ）を用いた撮像装置、および撮像システムの概略を示すブロック図である。
【図２】実施例に係るＣＣＤの構成を示すブロック図である。
【図３】実施例に係るオシロスコープに時系列的に出力表示するトリガポイントおよび駆動情報の表示態様の一例である。
【図４】トリガポイントの時間的な入力位置の取得の説明に供する模式図である。
【図５】変形例に係るＣＣＤ型固体撮像素子（ＣＣＤ）を用いた撮像装置、および撮像システムの概略を示すブロック図である。
【図６】変形例に係るトリガポイントおよび駆動情報の表示態様の一例である。
【図７】変形例に係るトリガポイントおよび駆動情報の表示態様の一例である。
【図８】（ａ）、（ｂ）は、各信号のタイミングチャートである。
【符号の説明】
【００４５】
１  …  ＣＣＤ型固体撮像素子（ＣＣＤ）
９ｃ、９ｄ  …  出力ポート
１１  …  フォトダイオード
１２  …  蓄積用ＣＣＤ
２０  …  オシロスコープ
ＴＰ  …  トリガポイント
ＡＰ  …  撮像装置
【図１】
2009147781.tif 000003
【図２】
2009147781.tif 000004
【図３】
2009147781.tif 000005
【図４】
2009147781.tif 000006
【図５】
2009147781.tif 000007
【図６】
2009147781.tif 000008
【図７】
2009147781.tif 000009
【図８】
2009147781.tif 000010